(57)【要約】【課題】  顧客が望むプリントを簡単に作製できる、プリント注文受付装置を提供する。【解決手段】  プリント注文受付装置１０は、プリント注文を顧客の指示に従って受け付け、メディアから取得したプリント画像データに基づく画像のプリントをプリント装置に作製させるためのセルフ型のプリント注文受付装置である。プリント注文受付装置１０は、ＩＣカードリーダライタ２０を備え、ＩＣカードリーダライタ２０にセットされるＩＣカード３０から補正データを読み出し可能に構成される。プリント注文の際には、コントローラ１２によって、補正データを用いてプリント画像データを補正することで得られる補正済みプリント画像データに基づく画像のプリントを作製するための指示がセルフプリント装置Ｐ１あるいはデジタル露光式プリント装置Ｐ２に与えられる。【選択図】      図１
2006053199.tif 000002
【特許請求の範囲】
【請求項１】
取得した画像データに基づく画像のプリント注文を受け付け、当該プリント注文に応じたプリントをプリント装置に作製させるためのプリント注文受付装置であって、
前記画像データに施すべき補正の補正データが格納される記録媒体から前記補正データを読み出すデータ読み出し手段、および
前記データ読み出し手段によって読み出された前記補正データを用いて前記画像データを補正することで得られる補正済み画像データに基づく画像のプリントをプリント装置に作製させるための制御手段を備える、プリント注文受付装置。
【請求項２】
前記補正データを変更するための入力手段、および前記記録媒体に格納される前記補正データを前記入力手段によって変更された補正データに書き換えるデータ書き換え手段をさらに備える、請求項１に記載のプリント注文受付装置。
【発明の詳細な説明】
【技術分野】
【０００１】
この発明は、プリント注文受付装置に関し、より特定的には、取得した画像データに基づく画像のプリント注文を受け付け、当該プリント注文に応じたプリントをプリント装置に作製させるためのプリント注文受付装置に関する。
【背景技術】
【０００２】
近年、ＤＰＥ店等では、顧客によって持ち込まれるＣＤ−Ｒやデジタルカメラ用メディア等の各種メディアに格納された画像データに基づく画像のプリント注文を受け付け、プリントを作製するサービスが普及しつつある。ＤＰＥ店では、画像メディアから取得した画像データをたとえばデジタル露光式プリント装置に入力し、当該画像データに基づく画像を印画紙等のプリント材料に露光（形成）することで、プリントを作製する。色調やコントラスト等の画像特性について顧客から要望がある場合、顧客が好む画像特性の画像のプリントを作製するためにデジタル露光式プリント装置の露光条件等が調整される。
【０００３】
しかし、顧客の要望に応じて露光条件を調整することで、プリント作製の作業負担が大きくなりひいてはプリントのコストが上昇してしまうという問題があった。この種の問題を解決するために、たとえば特許文献１には、顧客毎の画像特性の好みに応じたプロファイルデータを予め登録しておき、顧客毎のプロファイルデータを用いて画像データを補正し、補正済み画像データに基づく画像を印画紙に形成する技術が開示されている。これによって、デジタル露光式プリント装置の露光条件を調整せずとも顧客が望むプリントを作製でき、プリント作製の作業負担が大きくなることもなくプリントのコストの上昇を抑えることができる。
【特許文献１】特開２００１−１３３９１１号
【発明の開示】
【発明が解決しようとする課題】
【０００４】
しかし、特許文献１の技術では、ＤＰＥ店において、顧客毎にプロファイルデータを多数作成する作業が必要となる上に、作成した顧客毎の多数のプロファイルデータを管理するために労力を要するという問題があった。
それゆえに、この発明の主たる目的は、顧客が望むプリントを簡単に作製できる、プリント注文受付装置を提供することである。
【課題を解決するための手段】
【０００５】
上述の目的を達成するために、請求項１に記載のプリント注文受付装置は、取得した画像データに基づく画像のプリント注文を受け付け、当該プリント注文に応じたプリントをプリント装置に作製させるためのプリント注文受付装置であって、画像データに施すべき補正の補正データが格納される記録媒体から補正データを読み出すデータ読み出し手段、およびデータ読み出し手段によって読み出された補正データを用いて画像データを補正することで得られる補正済み画像データに基づく画像のプリントをプリント装置に作製させるための制御手段を備える。
【０００６】
請求項２に記載のプリント注文受付装置は、請求項１に記載のプリント注文受付装置において、補正データを変更するための入力手段、および記録媒体に格納される補正データを入力手段によって変更された補正データに書き換えるデータ書き換え手段をさらに備える。
【０００７】
請求項１に記載のプリント注文受付装置では、記録媒体に格納された補正データをデータ読み出し手段によって読み出し、当該補正データを用いて画像データを補正することで得られる補正済み画像データに基づく画像のプリントを作製するための指示を制御手段がプリント装置に与える。これによって、記録媒体から読み出される補正データを用いて顧客が好む画像特性となるように画像データを補正し、補正済み画像データに基づく画像のプリントをプリント装置に作製させることができる。したがって、ＤＰＥ店で顧客の好みに応じたプロファイルデータを予め作成し登録しておく必要がなく、顧客が望むプリントを簡単に作製できる。また、補正データを書き込んだ記録媒体を用いることによって、この発明のプリント注文受付装置が設置されるいずれのＤＰＥ店でプリント注文を行っても所望のプリントが作製されるので、特定のＤＰＥ店でプリント注文を行う必要がなく、顧客にとっての利便性を向上できる。
【０００８】
請求項２に記載のプリント注文受付装置では、データ書き換え手段によって記録媒体に格納される補正データを書き換えることができる。したがって、顧客の好みが変わった場合には、データ書き換え手段によって記録媒体内の補正データを書き換え、今回のプリント注文で作製したプリントの画像と同じ画像特性の画像のプリントを次回のプリント注文の際に簡単に作製できる。
【発明の効果】
【０００９】
この発明によれば、顧客が望むプリントを簡単に作製できる。
【発明を実施するための最良の形態】
【００１０】
以下、図面を参照して、この発明の実施の形態について説明する。この発明の一実施形態のプリント注文受付装置１０は、プリント注文を顧客の指示に従って受け付け、メディアから取得した画像データに基づく画像のプリントをプリント装置に作製させるためのセルフ型のプリント注文受付装置である。プリント注文受付装置１０は、たとえば、プリントの作製サービスを提供するＤＰＥ店等に設置される。
【００１１】
図１および図２を参照して、プリント注文受付装置１０は、制御手段であるコントローラ１２を含む。
【００１２】
図２に示すように、コントローラ１２は、バス１４で相互に接続されたＣＰＵ１２ａ、ＲＯＭ１２ｂ、ＲＡＭ１２ｃを含む。コントローラ１２には、各種プログラムやデータを格納するハードディスクドライブ（ＨＤＤ：ハードディスクを含む）１６と画像やテキストを表示するタッチパネル式ディスプレイ１８とが接続される。
【００１３】
ＣＰＵ１２ａは、ＲＯＭ１２ｂやＨＤＤ１６等に格納された各種のプログラムを実行し、Ｉ／Ｏインタフェースを介してコントローラ１２に接続されるプリント注文受付装置１０の各構成要素に指示を与え、プリント注文受付装置１０の動作を制御する。
【００１４】
ＲＯＭ１２ｂは、起動用プログラム等を格納している。起動用プログラムは、プリント注文受付装置１０の電源投入時にＣＰＵ１２ａによって実行される。これによって、ＨＤＤ１６に格納されているオペレーティングシステム（ＯＳ）等のプログラムがＲＡＭ１２ｃにロードされ、各種の処理や制御が実行可能となる。
【００１５】
ＲＡＭ１２ｃには、プリント注文受付装置１０を制御するプログラムが展開され、このプログラムによる処理結果、処理のための一時データ、タッチパネル式ディスプレイ１８の画面上に表示するための表示用データ（テキストデータ、画像データ等）等を保持し、ＣＰＵ１２ａの作業領域として使用される。ＲＡＭ１２ｃ上に展開された表示用データは、タッチパネル式ディスプレイ１８に伝達され、タッチパネル式ディスプレイ１８は、その画面上に表示用データに対応する表示内容（テキスト、画像等）を表示し、たとえば図３や図４に示すような画面を表示する。
【００１６】
ＨＤＤ１６は、ＣＰＵ１２ａの指示に従って、プログラム、制御用データ、テキストデータ、画像データ等を、ハードディスクから読み出しまたハードディスクに対して書き込む。この実施形態では、ＨＤＤ１６内のハードディスクに、図７に示す動作を行うためのプログラムが格納され、当該プログラムをＣＰＵ１２ａが読み出して実行することにより処理が実行される。
【００１７】
タッチパネル式ディスプレイ１８は、たとえば液晶ディスプレイ等によって構成され、画面上に表示されるボタンイメージ等の画像に顧客や店員が触れることによって、データや指示がコントローラ１２に与えられる。この実施形態では、タッチパネル式ディスプレイ１８が入力手段に該当し、タッチパネル式ディスプレイ１８の画面上には図３に示すプリント枚数設定画面１００や図４に示す補正値設定画面２００が表示される。
【００１８】
ここで、図３を参照して、プリント枚数設定画面１００について説明する。
プリント枚数設定画面１００は、画像毎に作製するプリントの枚数を設定するために用いられ、複数のサムネイル画像データに基づく複数（ここでは８つ）のサムネイル画像１０２を含む。サムネイル画像１０２は、押されることによって所定の処理が実行されるボタンイメージとしても機能する。各サムネイル画像１０２の下方には、それぞれ、プリント枚数を表示するための表示欄１０４が設けられる。各表示欄１０４の左側には表示欄１０４内のプリント枚数を増加させるためのプラスボタン１０６が設けられ、また、各表示欄１０４の右側には表示欄１０４内のプリント枚数を減少させるためのマイナスボタン１０８が設けられる。各表示欄１０４内のプリント枚数は、プラスボタン１０６が押される度に１ずつ加算され、また、マイナスボタン１０８が押される度に１ずつ減算される。プラスボタン１０６とマイナスボタン１０８とを用いて表示欄１０４内のプリント枚数を変更することで、サムネイル画像１０２毎に作製するプリントの枚数が設定される。
【００１９】
なお、表示欄１０４に表示されるプリント枚数が「０枚」である場合、マイナスボタン１０８を押しても表示欄１０４内のプリント枚数が変更されないことはいうまでもない。
【００２０】
ついで、図４を参照して、補正値設定画面２００について説明する。
補正値設定画面２００は、プリント枚数設定画面１００の任意のサムネイル画像１０２が押されることによってタッチパネル式ディスプレイ１８の画面上に表示される。補正値設定画面２００は、プリントに形成すべき画像の画像データに施す補正を設定するために用いられる。この実施形態では、補正可能な画像特性の項目として、黄色、青色、赤色の各色の色濃度、明るさ、彩度およびコントラストの６項目が設定されており、画像特性毎の補正値を変更することで補正の設定が行われる。
【００２１】
補正値設定画面２００は、プリント枚数設定画面１００で任意に選択された（押された）サムネイル画像１０２に対応するサムネイル画像２０２を含む。サムネイル画像２０２の下方には、黄色、青色、赤色の色濃度の補正値をそれぞれ表示する表示欄２０４ａ，２０４ｂ，２０４ｃ、明るさの補正値を表示する表示欄２０４ｄ、彩度の補正値を表示する表示欄２０４ｅ、およびコントラストの補正値を表示する表示欄２０４ｆが設けられる。
【００２２】
表示欄２０４ａ〜２０４ｆの左側には補正値を増加させるためのプラスボタン２０６がそれぞれ設けられ、また、表示欄２０４ａ〜２０４ｆの右側には補正値を減少させるためのマイナスボタン２０８がそれぞれ設けられる。表示欄２０４ａ〜２０４ｆ内の補正値は、対応するプラスボタン２０６が押される度にたとえば０．０５ずつ加算され、また、対応するマイナスボタン２０８が押される度にたとえば０．０５ずつ減算される。
【００２３】
プラスボタン２０６あるいはマイナスボタン２０８による表示欄２０４ａ〜２０４ｆ内の補正値の変更は、サムネイル画像２０２に即座に反映される。たとえば、表示欄２０４ａに対応するマイナスボタン２０８を押して表示欄２０４ａ内の補正値を減少させた場合、補正値の減少量に応じてサムネイル画像２０２の黄色の色濃度が即座に淡くなる。
【００２４】
この実施形態では、０．００〜２．００の範囲で表示欄２０４ａ〜２０４ｆ内の補正値を変更できるものとする。たとえば８ビット（２５６段階）の濃淡値で設定されているサムネイル画像データの黄色の色濃度に表示欄２０４ａ内の補正値を掛けることで、サムネイル画像データの黄色の色濃度が補正される。その他の画像特性（青色、赤色の各色の色濃度、明るさ、彩度およびコントラスト）についても同様である。
【００２５】
図１および図２に戻って、また、コントローラ１２には、ＩＣカードリーダライタ２０、ＣＤ−ＲＷドライブ２２、ＭＯドライブ２４、メディアリーダ２６およびネットワークインターフェース２８が接続される。
【００２６】
ＩＣカードリーダライタ２０は、ＣＰＵ１２ａの指示に従って、種々のデータを、ＩＣカード３０のＩＣチップ３０ａ（図５参照）から読み出しまたＩＣカード３０のＩＣチップ３０ａに書き込む。ＩＣカードリーダライタ２０にＩＣカード３０がセットされることで、ＣＰＵ１２ａはＩＣチップ３０ａから種々のデータを読み出し可能となる。この実施形態では、ＩＣカードリーダライタ２０がデータ読み出し手段およびデータ書き換え手段に該当する。
【００２７】
図５をも参照して、ＩＣカード３０は、記録媒体たるＩＣ（Integrated Circuit）チップ３０ａをプラスチック等からなるカード３０ｂの主面上に設けることによって構成され、プリント注文受付装置１０を設置するＤＰＥ店において各顧客に配布される。ＩＣカード３０では、データ記録容量が２５６バイト〜３２キロバイト程度であるＩＣチップ３０ａを記録媒体として用いることによって、たとえば、磁気ストライプを記録媒体として用いデータ記録容量が６００ビット程度である磁気カードと比べ、より多くのデータを格納できる。
【００２８】
ＩＣチップ３０ａには、当該ＩＣカード３０を所有する顧客の氏名および連絡先等の顧客情報のデータ、プリント注文を行ったＤＰＥ店の名称および連絡先等の店舗情報のデータ、ならびに、画像データに施すべき補正の補正データ等の種々のデータが格納される。
【００２９】
補正データとしては、上述の補正値設定画面２００で変更可能な画像特性の補正値に応じて、黄色、青色、赤色の各色の色濃度の補正値に対応する補正データ、明るさの補正値に対応する補正データ、彩度の補正値に対応する補正データおよびコントラストの補正値に対応する補正データがＩＣチップ３０ａに格納される。
【００３０】
ＩＣカードリーダライタ２０および格納できるデータ量が多いＩＣカード３０を用いることによって、顧客とＤＰＥ店との間で様々なデータのやり取りを行うことができる。たとえば、ＩＣカード３０は、作製したプリントの引渡しの際に照合手段としても用いられる。ＩＣカード３０に格納される注文番号データとＤＰＥ店において任意の装置に保存される注文番号データとが照合され、顧客に作製したプリントが引き渡される。また、ＩＣカード３０に現在までの累計プリント枚数に関するデータを格納させ、プリント注文の際に、累計プリント枚数に応じてプリント料金を割引するといったサービスを顧客に提供することができる。さらに、ＩＣカード３０から取得した顧客情報のデータを用いてダイレクトメールを顧客に送付することもでき、ＤＰＥ店における販売促進にも利用できる。
【００３１】
なお、ＩＣカードリーダライタ２０によるＩＣチップ３０ａからのデータ読み出し形式およびＩＣチップ３０ａへのデータ書き換え（書き込み）形式は、ＩＣカードリーダライタ２０とＩＣチップ３０ａとにおいてデータの送受信ができれば接触式あるいは非接触式のいずれを採用してもよい。
【００３２】
ＣＤ−ＲＷドライブ２２は、ＣＰＵ１２ａの指示に従って、種々のデータを、ＣＤ−Ｒ３２あるいはＣＤ−ＲＷ３２ａから読み出しまたＣＤ−ＲＷ３２ａに書き込む。同様に、ＭＯドライブ２４は、ＣＰＵ１２ａの指示に従って、種々のデータを、ＭＯ３４から読み出しまたＭＯ３４に書き込む。ＣＤ−ＲＷドライブ２２は、たとえば、顧客によって持ち込まれるＣＤ−Ｒ３２あるいはＣＤ−ＲＷ３２ａから画像データを読み出すために用いられる。ＭＯドライブ２４についても同様である。
【００３３】
なお、プリント注文受付装置１０に用いられるメディアドライブは、ＣＤ−ＲＷドライブ２２およびＭＯドライブ２４に限定されず、ＤＶＤ−ＲＷドライブやＺＩＰ（登録商標）ドライブを用いるようにしてもよい。また、ＣＤ−ＲＷドライブ２２によって、ＣＤ−ＲＯＭに格納されるデータを読み出し可能なことは言うまでもない。
【００３４】
メディアリーダ２６は、顧客によって持ち込まれるデジタルカメラ用メディア３６から画像データを読み出すために用いられる。メディアリーダ２６にデジタルカメラ用メディア３６がセットされることで、ＣＰＵ１２ａはデジタルカメラ用メディア３６から画像データを読み出し可能となる。デジタルカメラ用メディア３６の種類としては、スマートメディア、コンパクトフラッシュ（登録商標）等の様々な種類が考えられるが、メディアリーダ２６にセット可能なデジタルカメラ用メディア３６の種類は限定されない。複数種類のデジタルカメラ用メディア３６に対応するために、複数のメディアリーダ２６を設けてもよい。
【００３５】
また、コントローラ１２には、携帯電話接続ケーブルを介してカメラ付携帯電話３８が接続可能である。カメラ付携帯電話３８がコントローラ１２に接続されることで、ＣＰＵ１２ａはカメラ付携帯電話３８に格納されている画像データを読み出し可能となる。
【００３６】
各種メディア（ここでは、ＣＤ−Ｒ３２あるいはＣＤ−ＲＷ３２ａ、ＭＯ３４、デジタルカメラ用メディア３６）あるいはカメラ付携帯電話３８から読み出された画像データは、ＲＡＭ１２ｃに保持される。言い換えれば、顧客によって持ち込まれる各種メディアあるいはカメラ付携帯電話３８に格納される画像データがプリント注文受付装置１０に取得される。
【００３７】
なお、各種メディアあるいはカメラ付携帯電話３８から読み出される画像データのファイル形式は特に限定されず、ＧＩＦ形式、ＪＰＥＧ形式、ＢＭＰ形式、ＴＩＦＦ形式等のいずれのファイル形式であっても画像データを読み出すことができる。
【００３８】
さらに、コントローラ１２には、フラットベッドスキャナ４０が接続可能である。コントローラ１２にフラットベッドスキャナ４０が接続されることで、たとえばプリント等に形成されるデータ化されていない画像を画像データとして取得可能となる。各種メディアあるいはカメラ付携帯電話３８から読み出された画像データと同様に、フラットベッドスキャナ４０によって取得された画像データは、ＲＡＭ１２ｃに保持される。
【００３９】
ＲＡＭ１２ｃに保持される画像データは、たとえば、ＣＰＵ１２ａの指示に従って、プリント注文受付装置１０と一体的に連結されるセルフプリント装置Ｐ１（図６参照）に入力される。
【００４０】
セルフプリント装置Ｐ１は、タッチパネル式ディスプレイ１８を介して与えられる顧客等の指示に従って、プリント注文受付装置１０から出力された画像データに基づく画像を用紙に形成し、プリント（セルフプリント）を作製する。プリント注文受付装置１０にセルフプリント装置Ｐ１が接続されることによって、その場でプリントを作製し、顧客に提供することができる。セルフプリント装置Ｐ１としては、たとえば、固形カラーインクを塗布したインクリボンにプリンタヘッドによって熱を加えてカラーインクを昇華させ、ポリエステル系樹脂でコートされた専用の用紙にカラーインクを付着させる昇華型カラープリンタが用いられる。セルフプリント装置Ｐ１においては、Ｌ版など通常のプリントの他にも、シール用紙に画像を形成することでシールプリントを作製することもできる。
【００４１】
ネットワークインターフェース２８は、ネットワークＮＴに接続されており、ネットワークＮＴ経由で他の装置とのデータの送受信あるいはプログラムやデータのダウンロード（アップロード）をＣＰＵ１２ａの指示に従って行うために用いられる。
【００４２】
具体的に、図６をも参照して、プリント注文受付装置１０は、ネットワークＮＴを介してデジタル露光式プリント装置Ｐ２に接続される。プリント注文受付装置１０から送信された画像データは、ネットワークＮＴを経由してデジタル露光式プリント装置Ｐ２のコントローラに入力される。ネットワークＮＴの通信プロトコルとしては、たとえばＴＣＰ／ＩＰ通信プロトコル等が用いられる。
【００４３】
デジタル露光式プリント装置Ｐ２は、ネットワークＮＴ経由で入力された画像データに基づく画像をデジタル露光ヘッドによって銀塩印画紙に露光（形成）し、露光済み銀塩印画紙に現像および乾燥処理を施すことによって銀塩プリントを作製する。デジタル露光式プリント装置Ｐ２によれば、セルフプリント装置Ｐ１によって作製されるセルフプリントよりも高品質（高画質）な銀塩プリントを作製することができる。
【００４４】
なお、ネットワークＮＴは、１つのＤＰＥ店内でプリント注文受付装置１０とデジタル露光式プリント装置Ｐ２とを接続するＬＡＮ（Local Area Network）であってもよいし、インターネットを経由して複数のＤＰＥ店間でプリント注文受付装置１０とデジタル露光式プリント装置Ｐ２とを接続するＷＡＮ（Wide Area Network）であってもよい。ＷＡＮによるネットワークＮＴを構築することによって、デジタル露光式プリント装置Ｐ２が設置されていないＤＰＥ店のプリント注文受付装置１０から他のＤＰＥ店のデジタル露光式プリント装置Ｐ２に画像データを送信することができる。
【００４５】
また、ネットワークＮＴを介して複数のプリント注文受付装置１０を接続し、複数のプリント注文受付装置１０の間でデータの送受信を行うこともできる。
【００４６】
ついで、図７を参照して、上述のプリント注文受付装置１０のプリント注文受け付け処理の一例について説明する。ここでは、顧客によって持ち込まれるＣＤ−Ｒ３２（ＣＤ−ＲＷ３２ａ）から画像データを取得し、プリント注文を受け付ける場合について説明する。
【００４７】
まず、タッチパネル式ディスプレイ１８の画面上に表示されるサービス選択画面において、顧客によってプリント注文ボタンが押されることで、ＣＰＵ１２ａは、注文番号データを設定し（ステップＳ１）、当該注文番号データをＲＡＭ１２ｃに保持させる。
【００４８】
つづいて、タッチパネル式ディスプレイ１８の画面上にプリントサイズ設定画面が表示される。プリントサイズ設定画面でプリントサイズが入力されることで、ＣＰＵ１２ａは、プリントサイズ設定データを取得し（ステップＳ３）、当該プリントサイズ設定データをＲＡＭ１２ｃに保持させる。
【００４９】
つづいて、ＩＣカードリーダライタ２０へのＩＣカード３０のセットを顧客に促す画面がタッチパネル式ディスプレイ１８の画面上に表示される。ＩＣカードリーダライタ２０にＩＣカード３０がセットされることで、ＣＰＵ１２ａは、ＩＣチップ３０ａに格納される種々のデータを読み出し（ステップＳ５）、ＲＡＭ１２ｃに保持させる。
【００５０】
つづいて、ＣＤ−ＲＷドライブ２２へのＣＤ−Ｒ３２のセットを顧客に促す画面がタッチパネル式ディスプレイ１８の画面上に表示される。ＣＤ−ＲＷドライブ２２にＣＤ−Ｒ３２がセットされることで、ＣＰＵ１２ａは、ＣＤ−Ｒ３２に格納される複数の画像データを読み出し（ステップＳ７）、ＲＡＭ１２ｃに保持させる。このとき、各画像データは、ステップＳ３で取得したプリントサイズ設定データと関連付けられ、ＲＡＭ１２ｃに保持される。
【００５１】
つづいて、ＣＰＵ１２ａの指示に従って、ＨＤＤ１６から画像処理プログラムが読み出され、ＲＡＭ１２ｃに保持される各画像データにそれぞれ対応する複数のサムネイル画像データが生成される（ステップＳ９）。
【００５２】
ステップＳ９では、ノイズ除去等の基本的な補正とステップＳ５でＩＣチップ３０ａから読み出した画像特性毎の補正データを用いての画像特性の補正とデータサイズを縮小するサムネイル化処理とを各画像データに施した、複数のサムネイル画像データが生成される。画像特性の補正は、ステップＳ５でＩＣチップ３０ａから読み出した黄色、青色、赤色の各色の色濃度の補正データ、明るさの補正データ、彩度の補正データおよびコントラストの補正データを用いて、画像特性毎の補正データに基づく補正値を各画像データの対応する画像特性の設定値に掛けることで行われる。ステップＳ５でＩＣチップ３０ａに画像特性毎の補正データが格納されていない場合は、ＨＤＤ１６から読み出した画像特性毎の補正値「１．００」に対応する補正データを用いて画像特性の補正が行われる。画像特性毎の補正値「１．００」に対応する補正データは、ＩＣチップ３０ａから読み出す場合と同様に、ＲＡＭ１２ｃに保持される。
【００５３】
つづいて、ステップＳ９で生成された各サムネイル画像データに基づくサムネイル画像１０２を含むプリント枚数設定画面１００（図３参照）がタッチパネル式ディスプレイ１８の画面上に表示される（ステップＳ１１）。
【００５４】
ステップＳ１１において、プリント枚数設定画面１００がタッチパネル式ディスプレイ１８の画面上に表示された直後は、各表示欄１０４内のプリント枚数が「０枚」になるように設定されている。その後、顧客によって各表示欄１０４に対応するプラスボタン１０６あるいはマイナスボタン１０８が押され、各表示欄１０４内のプリント枚数が変更される。つまり、サムネイル画像１０２毎に、ひいてはプリントに形成すべき画像毎に作製するプリントの枚数が設定される。
【００５５】
ステップＳ９で８つ以上のサムネイル画像データが生成された場合は、プラスボタン１１０あるいはマイナスボタン１１２を押すことによって、プリント枚数設定画面１００に表示されるサムネイル画像１０２を切り替えることができる。
【００５６】
ステップＳ１１で表示されるプリント枚数設定画面１００の各サムネイル画像１０２が顧客の好みの画像特性となっていなければ、プリント枚数設定画面１００に設けられる次へボタン１１４が押されることはなく（ステップＳ１３でＮＯ）、プリント枚数設定画面１００の任意のサムネイル画像１０２が押される（ステップＳ１５でＹＥＳ）。
【００５７】
任意のサムネイル画像１０２が押されることによって、補正値設定画面２００（図４参照）がタッチパネル式ディスプレイ１８の画面上に表示される（ステップＳ１７）。その後、顧客によって表示欄２０４ａ〜２０４ｆにそれぞれ対応するプラスボタン２０６あるいはマイナスボタン２０８が押され、表示欄２０４ａ〜２０４ｆ内の補正値が変更される。つまり、顧客の好みの画像特性となるように、黄色、青色、赤色の各色の色濃度、明るさ、彩度およびコントラストの補正値が変更される。
【００５８】
なお、図４に示す補正値設定画面２００においては、プリント枚数設定画面１００の上段左端のサムネイル画像１０２が押され、当該サムネイル画像１０２に対応するサムネイル画像２０２が表示される場合について示されている。また、図４には、タッチパネル式ディスプレイ１８に表示された直後の補正値設定画面２００が示されているものとし、またプリント枚数設定画面１００でサムネイル画像１０２が初めて押されたときの補正値設定画面２００が示されているものとする。したがって、表示欄２０４ａ〜２０４ｆをみることによって、黄色の色濃度の補正値が「０．９５」となる補正データ、明るさの補正値が「０．８０」となる補正データ、およびその他の画像特性の補正値については「１．００」となる補正データがＩＣチップ３０ａに格納されていたことがわかる。
【００５９】
つづいて、補正値設定画面２００の完了ボタン２１０が押されることによって、補正値設定画面２００がタッチパネル式ディスプレイ１８の画面上から消去される。このとき、ＲＡＭ１２ｃ上では、ＲＡＭ１２ｃに保持される画像特性毎の補正データが補正値設定画面２００の表示欄２０４ａ〜２０４ｆに表示されていた各補正値に対応する補正データに書き換えられる。つまり、画像特性毎の補正データが更新される（ステップＳ１９）。その後、画像特性毎の更新後の補正データを用いて各サムネイル画像データが補正され（ステップＳ２１）、プリント枚数設定画面１００の各サムネイル画像１０２が更新される（ステップＳ２３）。
【００６０】
一方、各サムネイル画像１０２の画像特性が顧客の好みとなっていれば、サムネイル画像１０２が押されることはなく（ステップＳ１５でＮＯ）、次へボタン１１４が押され（ステップＳ１３でＹＥＳ）、プリント枚数設定画面１００がタッチパネル式ディスプレイ１８の画面上から消去される。このとき、ＣＰＵ１２ａによって、プリント枚数設定画面１００の各表示欄１０４に表示されていたプリント枚数のデータが、各サムネイル画像１０２に対応する各画像データに関連付けられ、プリント枚数設定データとして取得される（ステップＳ２５）。画像データ毎のプリント枚数設定データは、ＲＡＭ１２ｃに保持される。
【００６１】
つづいて、プリント注文を確定してもよいか否かを顧客に判断させるためのプリント注文確認画面がタッチパネル式ディスプレイ１８の画面上に表示される（ステップＳ２７）。
【００６２】
ステップＳ２７でタッチパネル式ディスプレイ１８の画面上に表示されるプリント注文確認画面は、たとえば、プリントサイズ設定データに基づくプリントサイズ、プリント枚数設定データに基づくプリント枚数、プリントサイズ設定データとプリント枚数設定データとに応じて算出されたプリント料金データに基づくプリント料金、ＹＥＳボタンおよびＮＯボタン等によって構成される。プリント注文確認画面上でＮＯボタンが押されると（ステップＳ２９でＮＯ）、ステップＳ１１に戻る。
【００６３】
一方、プリント注文確認画面上でＹＥＳボタンが押されると（ステップＳ２９でＹＥＳ）、注文番号データと予め記憶されるプリント注文受付装置１０の端末ＩＤデータとに関連付けてＨＤＤ１６内にディレクトリ（フォルダ）が作成される。そして、当該フォルダ内に、ＲＡＭ１２ｃに保持される画像特性毎の補正データ、プリントサイズ設定データ、プリント枚数設定データ、関連付けられるプリント枚数設定データが「０」ではない画像データ、および顧客情報のデータ等が格納される（ステップＳ３１）。
【００６４】
つづいて、ＩＣカードリーダライタ２０によってＩＣチップ３０ａに、種々のデータが書き込まれ、あるいは書き換えられる（ステップＳ３３）。
【００６５】
ステップＳ３３では、まず、ＣＰＵ１２ａによって、ＲＡＭ１２ｃに保持される画像特性毎の補正データとＩＣチップ３０ａに格納される画像特性毎の補正データとが比較される。そして、ＩＣチップ３０ａの補正データと異なる補正データがＲＡＭ１２ｃに保持されている場合、ＣＰＵ１２ａの指示に従って、ＩＣチップ３０ａの補正データがＲＡＭ１２ｃの補正データに書き換えられる。ＩＣチップ３０ａに画像特性毎の補正データが格納されていない場合は、ＲＡＭ１２ｃの画像特性毎の補正データがＩＣチップ３０ａに書き込まれる。また、今回のプリント注文の注文番号データ、プリント枚数設定データおよびプリント料金データやＤＰＥ店の店舗情報のデータ等もＩＣチップ３０ａに書き込まれる。
【００６６】
その後、セルフプリント装置Ｐ１あるいはデジタル露光式プリント装置Ｐ２にデータを出力し（ステップＳ３５）、プリント注文受付処理が終了する。
【００６７】
銀塩プリントを作製する場合、ステップＳ３５では、ステップＳ３１で作成されたフォルダ内の各種のデータがコントローラ１２からネットワークＮＴ経由でデジタル露光式プリント装置Ｐ２のコントローラに出力（送信）される。つまり、コントローラ１２によって、画像特性毎の補正データを用いて各画像データを補正し、各補正済み画像データに基づく画像のプリントを作製する指示がデジタルプリント装置Ｐ２に与えられる。そして、デジタル露光式プリント装置Ｐ２において、各画像データが画像特性毎の補正データを用いて補正され、各補正済み画像データに基づく画像が銀塩印画紙にそれぞれ形成され、銀塩プリントが作製される。
【００６８】
また、セルフプリントを作製する場合、ステップＳ３５では、ステップＳ３１で作成されたフォルダ内の各種のデータがＲＡＭ１２ｃ上に展開され、画像特性毎の補正データを用いて各画像データを補正し、コントローラ１２から各補正済み画像データがセルフプリント装置Ｐ１に出力される。つまり、コントローラ１２によって、各補正済み画像データに基づく画像のプリントを作製する指示がセルフプリント装置Ｐ１に与えられる。そして、セルフプリント装置Ｐ１において、各補正済み画像データに基づく画像が用紙にそれぞれ形成され、セルフプリントが作製される。
【００６９】
なお、ＣＤ−Ｒ３２（ＣＤ−ＲＷ３２ａ）以外のメディアあるいはカメラ付携帯電話３８から画像データを取得する場合についても、ＣＤ−Ｒ３２から画像データを取得した場合と同様のプリント注文受け付け処理が行われる。
【００７０】
また、プリント注文の度に画像特性毎の補正データをＩＣチップ３０ａに書き込むようにし、画像特性毎の補正データの平均データをステップＳ３で読み出すようにしてもよい。
【００７１】
さらに、プリント注文受付装置１０で画像特性毎の補正データを用いて各画像データを補正し、各補正済み画像データをデジタル露光式プリント装置Ｐ２に送信するようにしてもよい。
【００７２】
このようなプリント注文受付装置１０によれば、ＩＣカード３０から読み出した画像特性毎の補正データを用いて顧客が好む画像特性となるように画像データを補正し、補正済み画像データに基づく画像のプリントをセルフプリント装置Ｐ１あるいはデジタル露光式プリント装置Ｐ２に作製させることができる。したがって、ＤＰＥ店で顧客の好みに応じたプロファイルデータを予め作成し登録しておく必要がなく、顧客が望むプリントを簡単に作製できる。
【００７３】
また、補正データを格納するＩＣカード３０を用いることによって、プリント注文受付装置１０が設置されるいずれのＤＰＥ店でプリント注文を行っても所望のプリントが作製されるので、特定のＤＰＥ店でプリント注文を行う必要がなく、顧客にとっての利便性を向上できる。
【００７４】
さらに、顧客の好みが変わった場合には、ＩＣカード３０の補正データを書き換え、今回のプリント注文で作製したプリントの画像と同じ画像特性の画像のプリントを次回のプリント注文の際に簡単に作製することができる。
【００７５】
なお、上述の実施形態では、記録媒体としてＩＣチップ３０ａが設けられるＩＣカード３０を用いる場合について説明したが、記録媒体は特に限定されない。ＩＣカード３０に代えて、カード３０ｂに磁気ストライプが設けられる磁気ＩＣカードや磁気カードを用いてもよいし、フレキシブルディスク等を用いてもよい。
【００７６】
また、上述の実施形態では、補正データとして、黄色、青色、赤色の各色の色濃度の補正データ、明るさの補正データ、彩度の補正データおよびコントラストの補正データをＩＣチップ３０ａに格納させ、各画像特性について画像データを補正する場合について説明したが、補正可能な画像特性はこれらに限定されない。たとえば、シャープネスについての補正データをＩＣチップ３０ａに格納し、シャープネスについても補正できるようにしてもよい。
【００７７】
また、プリント注文受付装置１０では、デジタルカメラ用メディア３６に格納される画像データをＣＤ−ＲＷ３２ａあるいはＭＯ３４に書き込むといったサービスを提供することもできる。プリント注文受付装置１０にスピーカを設け、音声案内機能を付加するようにしてもよい。
【００７８】
また、フラットベッドスキャナ４０に代えて、現像済みネガフィルムから画像データを読み取るフィルムスキャナをプリント注文受付装置１０に接続してもよい。
【００７９】
さらに、デジタル露光式プリント装置Ｐ２に代えて、ネットワークＮＴを介してプリント注文受付装置１０にインクジェット式プリント装置を接続するようにしてもよい。
【図面の簡単な説明】
【００８０】
【図１】この発明のプリント注文受付装置の一例を示す斜視図解図である。
【図２】図１のプリント注文受付装置のブロック図である。
【図３】タッチパネル式ディスプレイに表示される画面の一例を示す図解図である。
【図４】タッチパネル式ディスプレイに表示される画面の他の例を示す図解図である。
【図５】図１のプリント注文受付装置に用いられるＩＣカードの一例を示す平面図解図である。
【図６】図１のプリント注文受付装置が用いられる画像処理システムの一例を示す図解図である。
【図７】図１のプリント注文受付装置の動作の一例を示すフロー図である。
【符号の説明】
【００８１】
１０      プリント注文受付装置
１２      コントローラ
１２ａ      ＣＰＵ
１６      ＨＤＤ
１８      タッチパネル式ディスプレイ
２０      ＩＣカードリーダライタ
２２      ＣＤ−ＲＷドライブ
２４      ＭＯドライブ
２６      メディアリーダ
２８      ネットワークインターフェース
３０      ＩＣカード
３０ａ      ＩＣチップ
３２      ＣＤ−Ｒ
３４      ＭＯ
３６      デジタルカメラ用メディア
１００      プリント枚数設定画面
２００      補正値設定画面
１０２，２０２      サムネイル画像
Ｐ１      セルフプリント装置
Ｐ２      デジタル露光式プリント装置
【図１】
2006053199.tif 000003
【図２】
2006053199.tif 000004
【図３】
2006053199.tif 000005
【図４】
2006053199.tif 000006
【図５】
2006053199.tif 000007
【図６】
2006053199.tif 000008
【図７】
2006053199.tif 000009